(57)【要約】【課題】原稿を光電的に読み取った画像データを出力する原稿読取装置において、無駄な原稿の読取動作を行うことなく、ユーザに対して原稿の設置状態の確認を促す。【解決手段】読取部１１に設置された原稿が光電的に読み取られた結果、その原稿の設置状態に誤りがあったことを示す誤設置情報を取得する誤設置情報取得部２１と、誤設置情報取得部２１によって誤設置情報が取得されたことを記録する誤設置情報記録部２２と、誤設置情報記録部２２おける誤設置情報の記録が所定数以上ある場合に、読取部による読み取り前に、原稿の設置状態の確認を促すための報知を行う報知部２３とを備え、誤設置情報記録部２２が、ユーザの識別情報に基づいてユーザ毎について誤設置情報が取得されたことを記録するものであり、報知部２３がユーザ毎の記録に基づいて、ユーザ毎に報知を行うものである。【選択図】図１
2013247432.tif 000002
【特許請求の範囲】
【請求項１】
読取部に設置された原稿が光電的に読み取られた結果、該原稿の設置状態に誤りがあったことを示す誤設置情報を取得する誤設置情報取得部と、
該誤設置情報取得部によって前記誤設置情報が取得されたことを記録する誤設置情報記録部と、
該誤設置情報記録部における前記誤設置情報の記録が所定数以上ある場合に、前記読取部による読み取り前に、前記原稿の設置状態の確認を促すための報知を行う報知部と、
ユーザの識別情報を取得する識別情報取得部とを備え、
前記誤設置情報記録部が、前記ユーザの識別情報に基づいて、前記ユーザ毎について前記誤設置情報が取得されたことを記録するものであり、
前記報知部が、前記ユーザ毎の記録に基づいて、前記ユーザ毎に前記報知を行うものであることを特徴とする原稿誤設置報知装置。
【請求項２】
前記読取部が、複数種類の読取モードによって前記原稿の読取りを行うものであり、
前記報知部が、前記読取部による読み取りの前に、該読み取りについて設定されている前記読取モードと同じ読取モードで読み取った際の前記誤設置情報の記録が所定数以上ある場合、該読取モードの正しい前記原稿の設置状態も報知するものであることを特徴とする請求項１記載の原稿誤設置報知装置。
【発明の詳細な説明】
【技術分野】
【０００１】
本発明は、原稿を光電的に読み取って画像データを出力する読取部における原稿の誤設置を防止する原稿誤設置報知装置に関するものである。
【背景技術】
【０００２】
従来、コピー機、ファクシミリまたはスキャナなどといった原稿を光電的に読み取って画像データを出力する原稿読取装置が種々提案されている。
【０００３】
そして、このような原稿読取装置においては、ユーザによって原稿設置台に原稿が設置され、これを光電的に読み取ることによって画像データが取得されるが、原稿設置台への原稿の設置方法に誤りがあった場合には、適切な画像データを取得することができない。
【０００４】
たとえばユーザが原稿の裏表を間違えて設置した場合には、白紙の画像データが取得されてしまう。また、原稿読取装置において両面読取りやＮアップ読取りを行う場合においては、原稿を正しい向きに設置しなければ、両面読取りの場合には表と裏で画像データの天地が逆となってしまい、Ｎアップ読取りの場合には複数枚の画像データの配置が所望の配置とは異なるものとなってしまう。
【０００５】
そこで、たとえば特許文献１においては、原稿を読み取った結果、先頭ページの画像データが白紙の画像データである場合に、ユーザに対して警告を行うものが提案されている。
【先行技術文献】
【特許文献】
【０００６】
【特許文献１】特開２００７−４９４７４号公報
【発明の概要】
【発明が解決しようとする課題】
【０００７】
しかしながら、特許文献１に記載の方法では、原稿を読み取った後でなければ原稿が誤って設置されているかどうかがわからないため、原稿の読取動作が無駄となり、作業効率が低下するという問題がある。
【０００８】
本発明は、上記事情に鑑み、ユーザが原稿の誤設置をして作業効率が低下することを防止できる原稿誤設置報知装置を提供することを目的とするものである。
【課題を解決するための手段】
【０００９】
本発明の原稿誤設置報知装置は、読取部に設置された原稿が光電的に読み取られた結果、その原稿の設置状態に誤りがあったことを示す誤設置情報を取得する誤設置情報取得部と、誤設置情報取得部によって誤設置情報が取得されたことを記録する誤設置情報記録部と、誤設置情報記録部における誤設置情報の記録が所定数以上ある場合に、読取部による読み取り前に、原稿の設置状態の確認を促すための報知を行う報知部と、ユーザの識別情報を取得する識別情報取得部とを備え、誤設置情報記録部が、ユーザの識別情報に基づいて、ユーザ毎について誤設置情報が取得されたことを記録するものであり、報知部が、ユーザ毎の記録に基づいて、ユーザ毎に報知を行うものである。
【００１０】
また、上記本発明の原稿誤設置報知装置においては、読取部を、複数種類の読取モードによって原稿の読取りを行うものとし、報知部を、読取部による読み取りの前に、該読み取りについて設定されている読取モードと同じ読取モードで読み取った際の誤設置情報の記録が所定数以上ある場合、該読取モードの正しい原稿の設置状態も報知するものとできる。
【発明の効果】
【００１１】
本発明の原稿誤設置報知装置によれば、原稿を読み取った結果、その原稿の設置状態に誤りがあったことを示す誤設置情報を取得して記録し、原稿の読み取りの際、誤設置情報の記録が少なくとも１回以上ある場合には、その読み取り前に、原稿の設置状態の確認を促すための報知を行うようにしたので、すなわち前回までの原稿の読取動作において原稿を誤って設置した場合には、今回の読取動作においても原稿を誤って設置する可能性が高いという想定のもと、今回の読み取り前に原稿の設置状態の確認を促すための報知を行うようにしたので、従来のように無駄な読取動作を行う前にユーザに対して原稿の設置状態の確認を促すことができ、作業効率の低下を防止することができる。
【００１２】
また、上記本発明の原稿誤設置報知装置において、ユーザの識別情報を取得し、ユーザ毎について誤設置情報が取得されたことを記録し、そのユーザ毎の記録に基づいて、ユーザ毎に報知を行うようにしたので、原稿の誤設置の頻度が高いユーザに対しては適切に原稿の設置状態の確認を促すことができ、一方、原稿の誤設置をほとんど行わないユーザに対しては、無駄に報知を行って作業効率の低下を招くことを防止することができる。
【００１３】
また、前回までの原稿読取モードにおける原稿の読取動作において原稿を誤って設置した場合には、原稿の設置状態の確認を促すための報知を行うとともに、正しい原稿の設置状態も報知するようにした場合には、ユーザが原稿の設置状態を修正する際に、正しい設置状態を即座に確認することができる。
【図面の簡単な説明】
【００１４】
【図１】本発明の原稿誤設置報知装置の第１の実施形態を用いたプリンタシステムの概略構成を示すブロック図
【図２】白紙検出管理テーブルの一例を示す図
【図３】本発明の原稿誤設置報知装置の第１の実施形態を用いたプリンタシステムの作用を説明するためのフローチャート
【図４】両面読取り（左右開き）時における誤設置を説明するための図
【図５】両面読取り（上下開き）時における誤設置を説明するための図
【図６】２アップ読取り時における誤設置を説明するための図
【図７】４アップ読取り時における誤設置を説明するための図
【図８】ユーザ毎の誤設置情報の取得回数を記録した誤設置管理テーブルの一例を示す図
【図９】全てユーザの誤設置情報の取得回数を加算して記録した誤設置管理テーブルの一例を示す図
【発明を実施するための形態】
【００１５】
以下、図面を参照して本発明の原稿誤設置報知装置の第１の実施形態を用いたプリンタシステムについて詳細に説明する。図１は、本実施形態のプリンタシステム１の全体概略構成図である。
【００１６】
本実施形態のプリンタシステム１は、図１に示すように、原稿読取装置１０と、原稿読取装置１０に接続された印刷装置３０と、印刷装置３０に接続されたコンピュータ４０とを備えている。
【００１７】
原稿読取装置１０は、原稿を光電的に読み取って画像データを出力する読取部１１を備えている。
【００１８】
読取部１１は、自動原稿読取台に設置された複数枚の原稿を自動的に取り込んで読取りを行なう自動読取動作と、ユーザによって原稿載置領域に１枚ずつ設置された原稿の画像を読み取る手動読取動作とを選択的に行なうことができるものである。
【００１９】
印刷装置３０は、原稿読取装置１０やコンピュータ４０から出力された画像データに展開処理などを施して印刷データを生成し、その印刷データに基づいて印刷用紙に印刷処理を施すものである。印刷装置３０としては、たとえば孔版印刷プリンタやインクジェットプリンタやレーザープリンタなどを用いることができる。
【００２０】
印刷装置３０は、上述した印刷処理を制御するとともに、読取部１１から出力された画像データに基づいて白紙検出などを行う制御部２０を備えている。
【００２１】
そして、制御部２０は、図１に示すように、誤設置情報取得部２１と、誤設置情報記録部２２と、報知部２３と、ユーザ識別情報取得部２４とを備えている。なお、この制御部２０が、本発明の原稿誤設置報知装置に相当する。また、本実施形態の制御部２０は、原稿誤設置報知プログラムをハードディスクなどの記録媒体にインストールすることによって構成されたものであり、このプログラムをＣＰＵなどによって起動することによって機能するものである。ただし、制御部２０は、必ずしも上記プログラムによって構成しなくてもよく、たとえば原稿設置報知プログラムの全部または一部の機能を電気回路などのハードウェアによって実現するようにしてもよい。
【００２２】
誤設置情報取得部２１は、原稿読取装置１０の読取部１１において原稿が読み取られた結果、原稿の設置状態に誤りがあったことを示す誤設置情報を取得するものである。本実施形態の誤設置情報取得部２１は、原稿の表裏が誤って設置されて白紙の原稿が読み取られたことを誤設置情報として取得するものである。具体的には、読取部１１において読み取られた画像データを取得し、その画像データの中に白紙の画像データが含まれていることを検出することによって誤設置情報を取得するものである。複数枚の原稿を読み取る場合、白紙の画像データの検出は、必ずしも全ての原稿の画像データに対して行う必要はなく、複数枚の原稿のうちの最初に読み取られた原稿の画像データのみを対象として白紙検出を行うようにしてもよい。また、複数枚の原稿の画像データうち、最初の原稿の画像データから所定枚数の白紙ページの画像データが連続して検出された場合に誤設置情報を取得するようにしてもよい。
【００２３】
誤設置情報記録部２２は、誤設置情報取得部２１によって誤設置情報が取得されたことを記録するものである。具体的には、本実施形態の誤設置情報記録部２２は、後で詳述するユーザ識別情報取得部２４によって取得されたユーザの識別情報に基づいて、そのユーザ毎について誤設置情報が取得されたことを記録するものである。
【００２４】
本実施形態の誤設置情報記録部２２は、図２に示すような白紙検出管理テーブルを備えている。白紙検出管理テーブルは、ユーザの識別情報Ａ〜Ｃ毎について、前回の原稿の読取動作において白紙が検出されたか否かを記録したものである。白紙検出管理テーブルにおける白紙検出フラグは、初期設定としては「０」に設定されており、原稿の読取動作において白紙が検出された場合に「１」に設定される。
【００２５】
報知部２３は、誤設置情報記録部２２における白紙検出管理テーブルを参照し、今から原稿の読取りを行おうとしているユーザの白紙検出フラグが「１」である場合には、原稿の読み取り前に、そのユーザに対して原稿の設置状態の確認を促すための報知を行うものである。具体的には、本実施形態の報知部２３は、後述するタッチパネル３０ａに、原稿の設置が正しいかを見直すよう促すメッセージを表示するものである。ただし、報知部２３による報知方法としてはこれに限らず、ランプを点灯させるなどその他公知の方法を採用することができる。また、さらに報知部２３が、タッチパネル３０ａにおいて、上記メッセージとともに、原稿設置台における原稿の正しい設置方法を画像として表示するようにしてもよい。
【００２６】
ユーザ識別情報取得部２４は、ユーザの識別情報を取得するものである。本実施形態のユーザ識別情報取得部２４は、タッチパネル３０ａにおいてユーザが入力したログイン情報を取得することによってユーザの識別情報を取得するものである。ユーザのログイン情報の入力方法としては、上述したようなタッチパネル３０ａを用いた入力に限らず、たとえばコンピュータ４０における入力部を用いて入力してもよいし、ユーザの識別情報が記憶されたＩＣカードを読み込ませることによって入力してもよい。なお、原稿読取装置１０および印刷装置３０は、予め設定されたユーザのみが使用可能に構成されたものであり、予め設定されたユーザのログイン情報とパスワードの入力を受け付けた場合に使用可能に構成されたものである。
【００２７】
そして、ユーザ識別情報取得部２４は、取得したユーザの識別情報を誤設置情報記録部２２と報知部２３に出力するものである。誤設置情報記録部２２は、上述したように入力されたユーザの識別情報に基づいて、白紙検出管理テーブルにおけるユーザ毎の白紙検出フラグの設定を更新するものである。また、報知部２３は、上述したように入力されたユーザの識別情報に基づいて、そのユーザの白紙検出管理テーブルにおける白紙検出フラグを参照し、その白紙検出フラグの状態に基づいてメッセージの表示などを行うものである。
【００２８】
印刷装置３０は、上述したタッチパネル３０ａを備えている。このタッチパネル３０ａは、上述したように原稿の設置の確認を促すメッセージを表示したり、ユーザのログイン情報の入力を受け付けるものである。また、タッチパネル３０ａは、その他にも原稿の読取開始指示や、読取部１１における読取モードの設定入力を受け付けるものである。なお、上述した読取モードとしては、片面読取モードや両面読取モードやＮアップ読取モードなどがある。
【００２９】
コンピュータ４０は、メモ帳やＷｏｒｄ（登録商標）などのような原稿画像を表す画像データを編集することができるアプリケーションやプリンタドライバがインストールされたものであり、アプリケーションにおいて編集された画像データは、プリンタドライバにおいてＰＤＬ（Page Description Language）データに変換された後、印刷ジョブデータとして印刷装置３０に出力される。また、コンピュータ４０は、ユーザによる所定の入力を受け付ける入力部（図示省略）を備えており、上述したとおり、この入力部においてユーザのログイン情報などを受け付けるようにしてもよい。
【００３０】
次に、本発明の第１の実施形態のプリンタシステム１の作用について説明する。なお、本実施形態のプリンタシステム１は、ユーザに対する原稿の誤設置の報知方法に特徴を有するものであるので、以下、この点を中心に説明する。
【００３１】
まず、印刷装置３０のタッチパネル３０ａにおいてユーザのログイン情報とパスワードが入力され、原稿読取装置１０と印刷装置３０とが使用可能な状態となる（Ｓ１０）。そして、このとき入力されたユーザのログイン情報は、ユーザの識別情報としてユーザ識別情報取得部２４によって取得され、ユーザ識別情報取得部２４は、取得したユーザ識別情報を報知部２３と誤設置情報記録部２２とに出力する。
【００３２】
そして、ユーザのログイン後、原稿読取台に複数枚の原稿が設置され、ユーザによってタッチパネル３０ａを用いて原稿の読取開始指示が入力される（Ｓ１２）。この読取開始指示に応じて報知部２３は、誤設置情報記録部２２に記録された白紙検出管理テーブルを参照し、ログインしたユーザの白紙検出フラグが「０」であるか「１」であるかを確認する（Ｓ１４）。すなわち、報知部２３は、現在ログインしているユーザが、前回の原稿の読取りの際に原稿の表裏を誤って設置し、これにより白紙が検出されたか否かを確認する。
【００３３】
そして、報知部２３が、白紙検出フラグを確認した結果、白紙検出フラグが「１」に設定されていた場合には（Ｓ１６，ＹＥＳ）、印刷装置３０におけるタッチパネル３０ａに、原稿の設置が正しいかを見直すよう促すメッセージを表示する（Ｓ１８）。タッチパネル３０ａに表示されたメッセージを確認したユーザは、原稿設置台に原稿が正しく設置されているか否かを確認する。なお、本実施形態においては、上記メッセージが表示された後、白紙検出フラグは「１」から「０」にリセットされるものとする。
【００３４】
そして、ユーザによって原稿の設置状態が確認された後、ユーザによってタッチパネル３０ａにおける「実行」ボタンなどが押され、読取部１１における原稿の読取りが開始される（Ｓ２０）。
【００３５】
一方、報知部２３が、白紙検出フラグを確認した結果、白紙検出フラグが「０」に設定されていた場合には（Ｓ１６，ＮＯ）、上述したようなメッセージの表示は行われずに、読取部１１における原稿の読取りが開始される（Ｓ２０）。
【００３６】
そして、上述したようにして原稿の読取りが開始された後、その読み取り中において、誤設置情報取得部２１によって白紙が検出されて誤設置情報が取得された場合には（Ｓ２２，ＹＥＳ）、すなわち、上述したようにタッチパネル３０ａにメッセージを表示したにも関わらず、ユーザが再び原稿の設置方法を誤った場合や、上述したメッセージの表示を行うことなく、原稿の読取りを行った結果、その原稿の設置方法が誤っていた場合には、報知部２３が、印刷装置３０におけるタッチパネル３０ａに、原稿の設置が正しいかを見直すよう促すメッセージを表示する（Ｓ２４）。
【００３７】
また、このとき誤設置情報取得部２１によって誤設置情報が取得されたことが誤設置情報記録部２２によって記録される（Ｓ２６）。すなわち、誤設置情報記録部２２は、ユーザの識別情報に基づいて、そのユーザの白紙検出管理テーブルの白紙検出フラグを「０」から「１」に更新する。
【００３８】
そして、ユーザによって原稿設置台に原稿が正しく設置された後、ユーザによってタッチパネル３０ａにおける「実行」ボタンなどが押され、読取部１１における原稿の読取りが再度行われる。
【００３９】
一方、上述したようにして原稿の読取りが行われた結果、誤設置情報取得部２１によって白紙が検出されなかった場合には（Ｓ２２，ＮＯ）、上述したようなメッセージの表示や誤設置情報記録部２２による白紙検出管理テーブルの更新は行われない。
【００４０】
そして、原稿読取装置１０は、原稿を読み取って取得した画像データを印刷装置３０に出力し、印刷装置３０は、入力した画像データに基づいて印刷用紙に印刷処理を施す。
【００４１】
上記第１の実施形態のプリンタシステム１によれば、原稿を読み取った結果、その原稿の設置状態に誤りがあったことを示す誤設置情報を取得して記録し、原稿の読み取りの際、誤設置情報の記録が所定数以上ある場合には、その読み取り前に、原稿の設置状態の確認を促すための報知を行うようにしたので、すなわち前回までの原稿の読取動作において原稿を誤って設置した場合には、今回の読取動作においても原稿を誤って設置する可能性が高いという想定のもと、今回の読み取り前に原稿の設置状態の確認を促すための報知を行うようにしたので、従来のように無駄な読取動作を行う前にユーザに対して原稿の設置状態の確認を促すことができ、作業効率の低下を防止することができる。
【００４２】
また、ユーザ毎について誤設置情報が取得されたことを記録し、そのユーザ毎の記録に基づいて、ユーザ毎に報知を行うようにしたので、原稿の誤設置の頻度が高いユーザに対しては適切に原稿の設置状態の確認を促すことができ、一方、原稿の誤設置をほとんど行わないユーザに対しては、無駄に報知を行って作業効率の低下を招くことを防止することができる。
【００４３】
なお、上記第１の実施形態のプリンタシステム１においては、白紙検出管理テーブルにおける白紙検出フラグが「１」のときにメッセージを表示するようにしたが、すなわち、ユーザの原稿の誤設置の回数が１回でもメッセージを表示するようにしたが、たとえば、誤設置情報記録部２２において白紙検出の回数をカウントするようにし、その回数が２回以上の所定の閾値以上の回数となった場合に、メッセージを表示するようにしてもよい。
【００４４】
また、上記第１の実施形態のプリンタシステム１においては、ユーザに対してメッセージを１回表示した後に、白紙検出フラグをリセットするようにしたが、これに限らず、たとえば白紙検出フラグが「１」となった場合には、ユーザに対してメッセージを２回以上の表示した後に、白紙検出フラグや白紙検出のカウント数をリセットするようにしてもよい。すなわち、ユーザが原稿の誤設置を一度行ってしまった場合には、その後の複数回の原稿の読取り動作に亘ってメッセージを表示するようにしてもよい。
【００４５】
また、白紙検出フラグや白紙検出のカウント数のリセットは、たとえば管理者など特別な権限を有する者の設定入力によって行うようにしてもよい。
【００４６】
また、報知部２３が、誤設置情報記録部２２における白紙検出の記録に基づいて、直近の予め設定された複数回数の原稿の読取り動作において白紙検出が何回行われたかを確認し、その白紙検出の回数が所定の閾値以上である場合にメッセージを表示するようにしてもよい。具体的には、たとえば、報知部２３が、直近の５回数の原稿の読取り動作において白紙検出が何回行われたかを確認し、その白紙検出の回数がたとえば２回以上である場合にメッセージを表示するようにしてもよい。
【００４７】
また、上述したように白紙検出フラグや白紙検出のカウント数のリセットを行う前に、ユーザに対してリセットを行うか否かを選択させるメッセージなどを表示し、リセットを行うか否かのユーザによる選択を受け付けるようにしてもよい。
【００４８】
また、上記第１の実施形態のプリンタシステム１においては、誤設置情報取得部２１が、白紙の画像データを検出することによって白紙検出を行うようにしたが、これに限らず、たとえば、原稿を読み取った後、その印刷結果もしくは保存した画像データからユーザが誤設置であったことを確認した場合に、ユーザがタッチパネル３０ａなどを用いて誤設置を行ったことを示す情報を設定入力し、その入力された情報を誤設置情報として誤設置情報取得部２１が取得するようにしてもよい。
【００４９】
また、上記第１の実施形態のプリンタシステム１においては、誤設置情報取得部２１が、誤設置情報として白紙検出の情報を取得するようにしたが、すなわち、原稿の表裏を間違えて誤設置したことを示す情報を取得するようにしたが、原稿の誤設置情報としてはこれに限られるものではなく、その他の誤設置情報を取得するようにしてもよい。
【００５０】
具体的には、読取部１１において両面読取りを行う場合にも誤設置は起こり得る。たとえば、読取部１１において左右開きの両面読取りを行う場合、図４（ａ）に示すように、原稿の短辺方向が原稿搬送方向に平行となるように原稿を設置したときに表面と裏面とで正常な読取りができる場合に、ユーザが誤って、図４（ｂ）に示すように、原稿の長辺方向が原稿搬送方向に平行となるように原稿を誤設置した場合には、表面と裏面とで上下方向が逆になってしまう。
【００５１】
読取部１１において上下開きの両面読取りを行う場合にも、図５（ａ）に示すように、原稿の長辺方向が原稿搬送方向に平行となるように原稿を設置したときに表面と裏面とで正常な読取りができる場合に、ユーザが誤って、図５（ｂ）に示すように、原稿の短辺方向が原稿搬送方向に平行となるように原稿を誤設置した場合には、やはり表面と裏面とで上下方向が逆になってしまう。
【００５２】
また、読取部１１においてＮアップ読取りを行う場合にも誤設置は起こり得る。たとえば、読取部１１において２アップ読取りを行う場合、図６（ａ）に示すように、原稿の短辺方向が原稿搬送方向に平行となるように原稿を設置したときに２枚の画像データが正常に配置された読取りを行うことができる場合に、ユーザが誤って、図６（ｂ）に示すように、原稿の長辺方向が原稿搬送方向に平行となるように原稿を誤設置した場合には、２枚の画像データの配置が左右逆になってしまう。
【００５３】
読取部１１において４アップ読取りを行う場合、図７（ａ）に示すように、原稿の短辺方向が原稿搬送方向に平行となるように原稿を設置したときに４枚の画像データが正常に配置された読取りを行うことができる場合に、ユーザが誤って、図７（ｂ）に示すように、原稿の長辺方向が原稿搬送方向に平行となるように原稿を誤設置した場合には、４枚の画像データの配置が全く異なるものとなってしまう。
【００５４】
したがって、誤設置情報取得部２１が、誤設置情報として両面読取時の誤設置を示す情報や、Ｎアップ読取時の誤設置を示す情報を取得し、誤設置情報記録部２２が、両面読取時の誤設置を示す情報や、Ｎアップ読取時の誤設置を示す情報を記録するようにしてもよい。
【００５５】
両面読取時の誤設置情報やＮアップ読取時の誤設置情報の取得方法については、両面読取り時の誤設置とＮアップ読取り時の誤設置とは、上述したように原稿搬送方向に対して原稿の向きを誤って設置した場合であるので、たとえば原稿を読み取った画像データから予め設定された文字のデータなどを抽出し、その文字の向きを検出することによって原稿の向きを検出し、その原稿の向きが予め設定された向きと異なることを検出することによって誤設置情報を取得するようにすればよい。文字の向きを検出することによって原稿の向きを検出する方法としては、公知の手法を用いることができるが、たとえば特開２００９−１０００９９号公報に記載されているような方法を採用するようにすればよい。
【００５６】
また、たとえば原稿内に予め設定された向きでページ番号が付される場合には、そのページ番号の数字の向きを検出することによって原稿の向きを検出するようにしてもよい。もしくは、原稿内のフッターやヘッダーなど予め設定された位置にページ番号が付される場合には、そのページ番号の位置を検出することによって原稿の向きを検出するようにしてもよい。
【００５７】
また、原稿の向きの検出については、上述したように文字やページ番号の検出だけでなく、その他の公知の手法を用いることができる。
【００５８】
また、両面読取り時の誤設置情報とＮアップ読取り時の誤設置情報については、上述したように自動検出によって取得するのではなく、白紙検出の場合と同様に、原稿を読み取った後、その印刷結果もしくは保存した画像データからユーザが誤設置であったことを確認した場合に、ユーザがタッチパネル３０ａなどを用いて誤設置を行ったことを示す情報を入力し、その入力された情報を誤設置情報として誤設置情報取得部２１が取得するようにしてもよい。
【００５９】
そして、上述したように、誤設置情報として両面読取時の誤設置情報や、Ｎアップ読取時の誤設置情報を取得する場合には、誤設置情報記録部２２に、図８に示すような誤設置管理テーブルを設けるようにすればよい。図８に示す誤設置管理テーブルは、ユーザ毎について、白紙検出の誤設置情報を取得した回数と、両面読取時の誤設置情報を取得した回数と、Ｎアップ読取時の誤設置情報を取得した回数とを記録したものである。
【００６０】
そして、報知部２３が、原稿の読取り開始前に、誤設置情報記録部２２に記録されている誤設置管理テーブルを参照し、ログインしているユーザについて、カウント数が所定の閾値以上の誤設置情報がないかを確認する。そして、このカウント数が所定の閾値以上である誤設置情報がある場合には、原稿の読取り前に、ユーザに対して原稿が正しく設置されているか確認を促すメッセージをタッチパネルに表示させる。
【００６１】
なお、このとき所定のユーザについて全ての種類の誤設置情報のカウント数が所定の閾値以上であるか否かを確認するのではなく、今回の原稿の読取りについて設定されている読取モードの誤設置情報のみのカウント数が所定の閾値以上であるかを確認することが望ましい。すなわち、たとえば今回の原稿の読取モードとして両面読取りが設定されている場合には、両面読取り時の誤設置情報のみのカウント数を確認し、Ｎアップ読取りが設定されている場合には、Ｎアップ読取り時の誤設置情報のみのカウント数を確認し、片面読取りが設定されている場合には、白紙検出の誤設置情報のみのカウント数を確認することが望ましい。
【００６２】
また、今回の原稿の読取モードが両面読取りであって、両面読取時の誤設置情報のカウント数が閾値以上である場合には、原稿の設置状態の確認を促すメッセージとともに、誤設置情報のカウント数が閾値以上である読取モードが、両面読取りであることを示す情報を表示したり、また、両面読取時における原稿の正しい設置方法を表示するようにしてもよい。
【００６３】
また、今回の原稿の読取モードがＮアップ読取りであって、Ｎアップ読取時の誤設置情報のカウント数が閾値以上である場合には、上記メッセージとともに、誤設置情報のカウント数が閾値以上である読取モードが、Ｎアップ読取りであることを示す情報を表示したり、また、Ｎアップ時における原稿の正しい設置方法も表示するようにしてもよい。
【００６４】
また、白紙検出の誤設置情報のカウント数が閾値以上である場合には、上記メッセージとともに、カウント数が閾値以上である誤設置情報の種類が、白紙検出であること、すなわち原稿の表裏の誤設置であることを示す情報を表示するようにしてもよい。
【００６５】
次に、本発明の原稿読取装置の第２の実施形態を用いたプリンタシステム２について詳細に説明する。第２の実施形態のプリンタシステム２の概略構成については、図１に示した第１の実施形態のプリンタシステム１と同様である。
【００６６】
上述した第１の実施形態のプリンタシステム１は、ユーザ毎について誤設置情報を記録し、誤設置が多いユーザに対しては再び誤設置を行わないように次の原稿の読取り前にメッセージを表示し、誤設置をしないユーザに対しては作業効率を優先させてメッセージを表示しないようにしたものであるが、第２の実施形態のプリンタシステム２は、このようにユーザ毎の誤設置の頻度を考慮するものではなく、全てのユーザの誤設置情報を加算して記録し、この誤設置情報を記録した回数が所定の閾値以上となった場合には、特定のユーザに限らず統計的に見て誤設置が多いものとしてメッセージを表示するようにしたものである。
【００６７】
具体的には、本実施形態における誤設置情報記録部２２は、図９に示すような誤設置管理テーブルを備えている。誤設置管理テーブルは、誤設置の種類毎について、その誤設置情報を取得した回数をカウントして記録するものである。本実施形態の誤設置情報記録部２２は、白紙検出した際の誤設置情報と、両面読取時の誤設置情報と、Ｎアップ読取時の誤設置情報とが取得された回数をカウントして記録するが、このときログインしているユーザに関わらず、それぞれの誤設置情報について、全てのユーザの取得回数が加算されてカウントされる。
【００６８】
そして、本実施形態の報知部２３は、上記第１の実施形態と同様に、原稿の読取り開始前に、誤設置情報記録部２２に記録されている誤設置管理テーブルを参照し、カウント数が所定の閾値以上の誤設置情報がないかを確認する。そして、このカウント数が所定の閾値以上である誤設置情報がある場合には、上記第１の実施形態と同様に、原稿の読取り前に、ユーザに対して原稿が正しく設置されているか確認を促すメッセージをタッチパネルに表示させる。
【００６９】
なお、このときも全ての種類の誤設置情報のカウント数が所定の閾値以上であるか否かを確認するのではなく、第１の実施形態と同様に、今回の原稿の読取りについて設定されている読取モードの誤設置情報のみのカウント数が所定の閾値以上であるかを確認することが望ましい。
【００７０】
また、第１の実施形態と同様に、今回の原稿の読取モードが両面読取りであって、両面読取時の誤設置情報のカウント数が閾値以上である場合には、原稿の設置状態の確認を促すメッセージとともに、両面読取り時における誤設置であることを示す情報や、両面読取時における原稿の正しい設置方法を表示するようにしてもよい。
【００７１】
また、今回の原稿の読取モードがＮアップ読取りであって、Ｎアップ読取時の誤設置情報のカウント数が閾値以上である場合には、上記メッセージとともに、Ｎアップ読取り時における誤設置であることを示す情報や、Ｎアップ読取時における原稿の正しい設置方法を表示するようにしてもよい。
【００７２】
また、白紙検出の誤設置情報のカウント数が閾値以上である場合には、上記メッセージとともに、カウント数が閾値以上である誤設置情報の種類が、白紙検出であること、すなわち原稿の表裏の誤設置であることを示す情報を表示するようにしてもよい。
【００７３】
上記第２の実施形態のプリンタシステム２によれば、全てのユーザの誤設置情報の取得回数を加算して記録し、この記録したカウント数が閾値以上である場合に、原稿の設置状態の確認を促すメッセージを表示するようにしたので、統計的に見て原稿の誤設置が多い場合に、原稿の読取り前にユーザに対して原稿の設置状態の確認を促すことができる。
【００７４】
なお、上記第１および第２のプリンタシステム１，２は、本発明の原稿誤設置報知装置に相当する制御部２０を印刷装置３０に設けるようにしたものであるが、これに限らず、この制御部２０を原稿読取装置１０に設けるようにしてもよい。
【符号の説明】
【００７５】
１     プリンタシステム
１０   原稿読取装置
１１   読取部
２０   制御部
２１   誤設置情報取得部
２２   誤設置情報記録部
２３   報知部
２４   ユーザ識別情報取得部
３０   印刷装置
３０ａ タッチパネル
４０   コンピュータ
【図１】
2013247432.tif 000003
【図２】
2013247432.tif 000004
【図３】
2013247432.tif 000005
【図４】
2013247432.tif 000006
【図５】
2013247432.tif 000007
【図６】
2013247432.tif 000008
【図７】
2013247432.tif 000009
【図８】
2013247432.tif 000010
【図９】
2013247432.tif 000011